(57)【要約】【課題】  複数枚の吸収体を重ね合わせ配置した状態であっても、必要とする機能やサイズを容易に識別し、取り出すことができ、装着作業を迅速に行なうことができる吸収性物品を提供する。【解決手段】  液透過性のトップシートと、バックシートと、これら両シートの間に配置された吸収体とを有する吸収性物品において、前記吸収性物品には、複数枚重ね合わせて集合配置した場合に外部から目視できる少なくとも１つの部位に吸収性物品の種類を表示する目印が形成されていることを特徴とする吸収性物品。目印は、バックシート面に、吸収性物品の長手方向、又は長手方向に対して斜め方向に線状もしくは帯状に形成される。また、目印は、連続的もしくは間欠的に特定の文字、図形、絵柄、色彩等の模様を配置することによって形成することができる。【選択図】  図１
2005177160.tif 000002
【特許請求の範囲】
【請求項１】
液透過性のトップシートと、バックシートと、これら両シートの間に配置された吸収体とを有する吸収性物品において、前記吸収性物品には、複数枚重ね合わせ配置した場合に外部から目視できる少なくとも１つの部位に吸収性物品の種類を表示する目印が形成されていることを特徴とする吸収性物品。
【請求項２】
前記目印は、前記吸収性物品の長手方向に沿って、前記吸収性物品のバックシート面に線状もしくは帯状に少なくとも一列形成されていることを特徴とする請求項１記載の吸収性物品。
【請求項３】
前記目印は、前記吸収性物品の長手方向に対して斜め方向に、前記吸収性物品のバックシート面に少なくとも一列形成されていることを特徴とする請求項１記載の吸収性物品。
【請求項４】
前記目印は、連続的に線状もしくは帯状に少なくとも一列形成されていることを特徴とする請求項１〜請求項３のいずれか１項に記載の吸収性物品。
【請求項５】
前記目印は、間欠的に線状もしくは帯状に少なくとも一列形成されていることを特徴とする請求項１〜請求項３のいずれか１項に記載の吸収性物品。
【請求項６】
前記目印は、間欠的に線状もしくは帯状に特定の文字、図形、絵柄、色彩等からなる模様を各単独又は複数組み合わせて配置して少なくとも一列形成されていることを特徴とする請求項５に記載の吸収性物品。
【発明の詳細な説明】
【技術分野】
【０００１】
本発明は、使い捨ておむつ、尿パッド等の吸収性物品に関するものである。さらに詳しくは、本発明は、忙しい介護や育児の現場で、必要とする機能やサイズの吸収性物品を容易に識別し、取り出すことが可能であり、装着作業を迅速に行なうことができる吸収性物品に関するものである。
【背景技術】
【０００２】
一般に老人施設や保育園等の多数の着用者が存在する場所では、機能やサイズが異なる種々の吸収性物品が混在した状態で集合保管され、使用されている。その場合、吸収性物品は保管場所から取り出し易くするため、包装袋から取り出し、複数枚を重ね合わせた状態で専用の保管棚や移動ワゴン内に収納されている。
【０００３】
通常、吸収性物品は、その前身頃側あるいは後身頃側のバックシート面にキャラクター等のデザインが印刷されたり（特許文献１）、機能が表示されているため（特許文献２）、バックシート面を見れば吸収性物品の識別は可能であるが、折畳んだものを複数枚積み重ねた場合にはデザインや表示のほとんどの部分が隠れてしまい、識別することができなくなってしまう。そのため、忙しい介護や育児の現場では、必要とする機能やデザインの吸収性物品を識別することが容易ではなく、取り間違いや取り直しにより装着に時間がかかるという煩わしさを感じていた。
【０００４】
また、全面を着色したフィルムをバックシートとして使用し、色の違いにより機能やサイズを区別した紙おむつも知られており（特許文献３）、このような紙おむつでは、吸収性物品を重ね合わせた場合でも、重ね合わせた状態で外部から目視できる個々の吸収性物品の部位の色で判別することが可能である。しかしながら、バックシートを着色した紙おむつの場合、夜間の薄暗い場所では、時としてバックシートの色を明確に識別することができない場合があり、必ずしも有効な方法とはなり得ないものである。さらに、フィルムに染料を練り込むために製品コストが高くなり、また、使用できる染料の種類に制限があるため、吸収性物品の種類が制限されてしまう。
【特許文献１】特開２００２−３６９８４１号公報
【特許文献２】特開２００２−３２５７８６号公報
【特許文献３】特開２００３−２８５８９０号公報
【発明の開示】
【発明が解決しようとする課題】
【０００５】
本発明は、従来の機能やサイズを表示した吸収性物品の有する上記問題点を克服し、重ね合わせた状態でもその集合体の中から必要とする機能やサイズを有するものを容易に識別して取り出すことができ、装着作業を迅速に行なうことができる吸収性物品を提供することを目的とするものである。
【課題を解決するための手段】
【０００６】
上記従来の吸収性物品の有する問題点を解決するための本発明は、以下の各発明を包含する。
（１）液透過性のトップシートと、バックシートと、これら両シートの間に配置された吸収体とを有する吸収性物品において、前記吸収性物品には、複数枚重ね合わせて集合配置した場合に外部から目視できる少なくとも１つの部位に吸収性物品の種類を表示する目印が形成されていることを特徴とする吸収性物品。
【０００７】
（２）前記目印は、前記吸収性物品の長手方向に沿って、前記吸収性物品のバックシート面に線状もしくは帯状に少なくとも一列形成されていることを特徴とする（１）項記載の吸収性物品。
【０００８】
（３）前記目印は、前記吸収性物品の長手方向に対して斜め方向に、前記吸収性物品のバックシート面に線状もしくは帯状に少なくとも一列形成されていることを特徴とする（１）項記載の吸収性物品。
【０００９】
（４）前記目印は、連続的に線状もしくは帯状に形成されていることを特徴とする（１）項〜（３）項のいずれかに記載の吸収性物品。
【００１０】
（５）前記目印は、間欠的に線状もしくは帯状に形成されていることを特徴とする（１）項〜（３）項のいずれかに記載の吸収性物品。
【００１１】
（６）前記目印は、間欠的に線状もしくは帯状に特定の文字、図形、絵柄、色彩等を各単独又は組み合わせて配置して形成されていることを特徴とする（１）項〜（３）項のいずれかに記載の吸収性物品。
【発明の効果】
【００１２】
本発明の吸収性物品は、複数枚を重ね合わせ配置した場合に外部から目視できる吸収性物品の露出部位に視認可能な目印が存在しているため、忙しい介護や育児の現場において、吸収性物品が重ね合わされている状態であっても、必要とする機能やサイズの吸収性物品を容易に選別することができ、装着作業を迅速に行なうことが可能となるものである。
【発明を実施するための最良の形態】
【００１３】
本発明の吸収性物品の場合、目印は、吸収性物品を複数枚重ね合わせて配置した場合に、該重ね合わせ体の側面に露出する吸収性物品の部位に少なくとも位置するように形成されている。
【００１４】
また、目印は、吸収性物品の長手方向に対して斜め方向に、バックシート面に少なくとも一列形成することにより、折畳んだ吸収性物品を複数枚重ね合わせた場合に、外部から目視できる複数の側面の位置で目印を視認できるようにすることができる。
【００１５】
さらに、目印は連続的な模様とすることができる。また、目印は間欠的な模様として形成することができる。また、目印を複数の異なる模様を組み合わせたものとすることもでき、この場合には、機能やサイズ等に関する複数の情報を組み合せて形成することが可能となる。
【００１６】
以下、図面を参照して、本発明の吸収性物品を詳細に説明するが、勿論、本発明はこれらによって何等限定されるものではない。
【００１７】
図１は、吸収性物品として尿パッドを用い、目印を形成した場合の１例を示したものである。図１（ａ）及び図１（ｂ）において、尿パッド１は、液透過性のトップシート２と、液不透過性のバックシート３と、これら両シートの間に配置された吸収体４とから基本的に構成されている。そして、図１（ａ）では、尿パッド１の長手方向に沿ってバックシート３の面に連続線からなる目印５が１列形成されている。また、図１（ｂ）では、同じく連続線からなる目印が２列形成されている。
【００１８】
また、図１（ｃ）及び図１（ｄ）は、各々図１（ａ）及び図１（ｂ）に示した尿パッド１を長手方向に折り畳んだ状態を示している。さらに、図１（ｅ）は、図１（ｃ）及び図１（ｄ）のように折り畳んだ尿パッド１を複数枚重ね合わせて配置した状態を示しており、重ね合わせた集合体の側面の位置に２種類の目印が現われていることが分かる。このように、重ね合わせ配置した集合体の側面位置に視認可能な目印が現われるように目印を形成することにより、必要とする機能やサイズの尿パッドを容易に識別することができるため、装着作業を迅速に行うことができる。
【００１９】
図２は、図１とは異なる例を示しており、吸収性物品としての尿パッドに目印を形成した場合の１例を示したものである。図２（ａ）では、尿パッド１の長手方向に対して斜め方向に、バックシート３の面に連続線からなる目印５が複数列形成されており、図２（ｂ）では、同じく不連続線からなる目印５が複数列形成されている。また、図２（ｃ）及び図２（ｄ）は、各々図２（ａ）及び図２（ｂ）に示した尿パッド１を長手方向に折り畳んだ状態を示している。さらに、図２（ｅ）は、図２（ｃ）及び図２（ｄ）の折り畳んだ尿パッド１を複数枚重ね合わせて集合配置した状態を示しており、複数枚重ね合わせ配置した集合体の側面の位置に２種類の目印が現われていることが分かる。このように、複数枚重ね合わせて配置した集合体の側面位置に視認可能な目印が現われるように目印を形成することにより、集合体の１つの側面の位置のみに目印が現われるように目印を形成した場合に比較して、必要とする機能やサイズの尿パッドをより容易に識別することができるため、装着作業をさらに迅速に行うことができる。
【００２０】
図３は、吸収性物品として展開型の使い捨ておむつを用い、目印を形成した場合の１例を示したものである。図３（ａ）において、使い捨ておむつ１は、液透過性のトップシート２と、バックシート３と、これら両シートの間に配置された吸収体４とから基本的に構成されている。そして、使い捨ておむつ１の長手方向に沿ってバックシート３の面に文字からなる目印５が間欠的に１列形成されている。この場合、ＭはＭサイズを意味する文字として使用しているが、サイズ表示のための目印は、必ずしもＳ、Ｍ、Ｌのような通常サイズ表示のために使用されている文字である必要はなく、例えば、線の本数を変えて表示しても良い。
【００２１】
また、図３（ｂ）は、図３（ａ）の使い捨ておむつ１を折り畳んだものと、図３（ａ）に示した目印５とは異なる目印を形成した使い捨ておむつを折り畳んだものとを一緒に重ね合わせて集合体とした状態を示しており、重ね合わせた集合体の側面位置に２種類の目印が現われていることが分かる。このように、重ね合わせた集合体の側面の位置に視認可能な目印が現われるように形成することにより、必要とする機能やサイズの尿パッドを容易に識別することができるため、装着作業を迅速に行うことができる。なお、図３では、目印を１列だけ形成した例を示したが、複数列形成しても良く、さらに、場所によって目印の種類が異なっていても良い。
【００２２】
また、目印をバックシートの長手方向中央部に沿って形成することにより、おむつを装着する際の位置合せをするためのセンターラインとして使用することも可能であり、さらに、尿と反応して変色する材料を使用することにより、排尿を知らせるインジケーターの機能を付与することもできる。
【００２３】
図４は、吸収性物品としてパンツ型の使い捨ておむつを用い、目印を形成した場合の１例を示したものである。図４において、パンツ型使い捨ておむつ１は、異なる種類のものが折り畳まれることなく重ね合わされており、重ね合わせた集合体の側面の位置に異なる目印が現われていることが分かる。
【００２４】
本発明の吸収性物品において、目印は、バックシート面に形成することが好ましく、目印を形成する方法としては、目印を印刷する方法、熱融着処理により目印を形成する方法、ホットメルト等の接着剤により目印を形成する方法等の方法を単独で、あるいは、２つ以上の方法を組み合わせて用いることができるが、特に限定されるものではない。また、目印の種類も、吸収性物品の機能やサイズ等を識別できるものであれば特に制限はなく、各種の文字、図形、絵柄、色彩等を用いることができ、これらを単独で用いても良く、２種類以上のものを組み合わせて用いても良い。
【００２５】
以下、本発明において使用される材料について説明するが、本発明は、これらによって何等制限されるものではない。
【００２６】
本発明において、液透過性のトップシートとしては、ポリエチレン、ポリプロピレン、ポリエステル、その他の熱可塑性樹脂を原料とした合成繊維等からなる不織布に親水化処理を施したものが用いられる。
【００２７】
本発明において、バックシートとしては、使い捨ておむつの場合には、液不透過性のシートが用いられ、微孔を形成したポリエチレンシート、あるいは熱可塑性樹脂にフィラーを加えて延伸したシートのような透湿性のある液体不透過性のシートが用いられる。このようなシートを用いると、ムレが改善されるため快適な着用感が得られる。さらに、このようなシートの外側に不織布からなるカバーシートを張合わせた積層構造のシートを用いることもできる。また、使い捨ておむつと組み合わせて使用される尿パッドの場合には、バックシートは必ずしも液不透過性である必要はなく、トップシートの場合と同様の原料からなる不織布を用いることもできる。
【００２８】
本発明において、吸収体としては、通常の使い捨ておむつのような吸収性物品に使用されるものであればいずれも使用することができる。すなわち、綿状パルプと高吸収性ポリマー（ＳＡＰ）を併用したもの、さらに熱融着性繊維を加えたもの等を使用することができ、全体をティッシュのような親水性シートで包まれているものが好ましい。その他、親水性シートの片面にＳＡＰの層を設けたもの、２枚の親水性シートの間にＳＡＰを挟持したもの等のシート状の吸収体も使用することができる。また、吸収体の形状は、砂時計型であっても良く、あるいは矩形であっても良い。
【産業上の利用可能性】
【００２９】
本発明の吸収性物品は、複数枚のものを重ね合わせた集合体の側面位置に視認可能な目印が現われる構成であるため、吸収性物品を重ね合わせた状態であっても、必要とする機能やサイズを容易に識別し、取り出すことが可能である。その結果、装着作業を迅速に行なうことが可能であり、特に、忙しい介護や育児の現場において使用される使い捨ておむつや尿パッドとして有用である。
【図面の簡単な説明】
【００３０】
【図１】吸収性物品として尿パッドを用い、目印を形成した１例を示す図である。
【図２】図１とは異なる例を示しており、吸収性物品として尿パッドを用い、目印を形成した１例を示す図である。
【図３】吸収性物品として展開型の使い捨ておむつを用い、目印を形成した１例を示す図である。
【図４】吸収性物品としてパンツ型の使い捨ておむつを用い、目印を形成した１例を示す図である。
【符号の説明】
【００３１】
１：吸収性物品
２：液透過性のトップシート
３：バックシート
４：吸収体
５：目印
【図１】
2005177160.tif 000003
【図２】
2005177160.tif 000004
【図３】
2005177160.tif 000005
【図４】
2005177160.tif 000006